(57)【要約】【課題】  フックの姿勢を制限して飛行中におけるフックの絡みつきなどを防止し、魚が食いついたときには掛かりがよいルアーを提供する。【解決手段】  フックアイを有するボディと、リング材で前記フックアイに取り付けられるフックと、を備え、ボディは、フックアイから所定距離離れた位置に具備されたフック保持部を有し、フックは、リング材を取り付けるアイ部と、針部と、を有し、フック保持部は、フックアイにリング材で取り付けた状態のフックのアイ部を保持する保持部材を有している。【選択図】  図２
2019103430.tif 000002
【特許請求の範囲】
【請求項１】
フックアイを有するボディと、リング材で前記フックアイに取り付けられるフックと、を備え、
前記ボディは、前記フックアイから所定距離離れた位置に具備されたフック保持部を有し、
前記フックは、前記リング材を取り付けるアイ部と、針部と、を有し、
前記フック保持部は、前記フックアイに前記リング材で取り付けた状態の前記フックの前記アイ部を保持する保持部材を有している、
ことを特徴とするルアー。
【請求項２】
前記保持部材は、前記アイ部を左右方向から保持するバネ部を有し、
前記バネ部は、前記アイ部を保持した状態で該アイ部の前後方向への揺動を所定範囲で可能とするよう構成されている、
請求項１に記載のルアー。
【請求項３】
前記保持部材は、弾性を有する線材で形成され、前記フックアイに掛ける掛け部と、前記アイ部を保持する前記バネ部と、前記ボディに止める止め部と、を有している、
請求項２に記載のルアー。
【請求項４】
前記ボディは、前記フック保持部の位置に前記アイ部の上部を収容する凹状部を有し、
前記保持部材は、前記アイ部を保持した状態で該アイ部の上部が前記凹状部に収容される位置に配置されている、
請求項１〜３のいずれか１項に記載のルアー。
【請求項５】
前記フック保持部は、前記針部が後方に傾く状態で前記アイ部を保持した状態と、前記針部が前方に傾く状態で前記アイ部を保持した状態と、で前記アイ部を係止する係止部をさらに有している、
請求項１〜４のいずれか１項に記載のルアー。
【発明の詳細な説明】
【技術分野】
【０００１】
本発明は、釣りに用いられるルアーに関する。
【背景技術】
【０００２】
ルアーを用いたルアーフィッシングが普及している。ルアーを用いたルアーフィッシングによる捕獲対象は、主として小魚を捕食する大型の魚（以下、「フィッシュイータ」ともいう）である。ルアーは、キャスティングによって空中を飛行して着水する。ルアーは、着水後に自重で水中に沈降する。ルアーは、リールでラインを巻き取るリトリーブによって所望の水深（レンジ）で泳がされる。フィッシュイータは、このルアーに食いつく。ルアーにはフックが取り付けられている。フィッシュイータは、ルアーに食いついてフックの針部が刺さることで釣り上げることができる。
【０００３】
ルアーのフックは、２本フック、３本フックなどが用いられる。フックは、ルアーの下部に揺動自在な状態で取り付けられている。フックは、ルアーのキャスティング時にラインやボディに絡みつくことがある。フックがラインやボディに絡みつくと、ルアーを狙ったポイントに投げ込むことが難しい。また、ルアーを安定した姿勢でリトリーブすることが難しい。
【０００４】
この種の先行技術として、例えば、ルアー本体に基端部が揺動可能に連結された釣り針を設け、釣り針の軸部をルアー本体に設けた保持部で係脱可能に保持したルアーがある（例えば、特許文献１参照、）。このルアーでは、魚がルアー食いついた際の衝撃で釣り針の軸部が保持部から脱落して魚の口腔内に引っ掛かるようにしている。
【先行技術文献】
【特許文献】
【０００５】
【特許文献１】実用新案登録第３１８０７９０号公報
【発明の概要】
【発明が解決しようとする課題】
【０００６】
しかし、上記先行技術では、フックの軸部をルアー本体の保持部に保持することで、フックの位置が固定される。このため、着水後のリトリーブ時もフックの軸部がルアー本体に固定された状態となる。フックは、軸部が固定されるとフィッシュイータが食いついたときに掛かりが悪い場合がある。
【０００７】
そこで、本発明は、フックの姿勢を制限して飛行中におけるフックの絡みつきなどを防止し、魚が食いついたときには掛かりがよいルアーを提供することを目的とする。
【課題を解決するための手段】
【０００８】
上記目的を達成するために、本発明に係るルアーは、フックアイを有するボディと、リング材で前記フックアイに取り付けられるフックと、を備え、前記ボディは、前記フックアイから所定距離離れた位置に具備されたフック保持部を有し、前記フックは、前記リング材を取り付けるアイ部と、針部と、を有し、前記フック保持部は、前記フックアイに前記リング材で取り付けた状態の前記フックの前記アイ部を保持する保持部材を有している。この明細書及び特許請求の範囲の書類中における「フック」は、アイ部と針部とが軸部でつながったフック、アイ部と針部とが紐材でつながったフックを含む。
【０００９】
この構成により、フック保持部の保持部材によってフックのアイ部が保持される。フックは、アイ部が保持部材に保持されて、左右方向の動きが制限される。よって、フックの絡みつきなどを防止することができる。フックは、アイ部が保持された状態であるため、魚が食いついたときには針部に掛かりがよい。
【００１０】
また、前記保持部材は、前記アイ部を左右方向から保持するバネ部を有し、前記バネ部は、前記アイ部を保持した状態で該アイ部の前後方向への揺動を所定範囲で可能とするよう構成されていてもよい。このように構成すれば、保持部材で保持されたフックは、アイ部の前後方向への揺動が所定範囲で可能となる。よって、フックの姿勢は固定されず、前後方向に揺動可能な状態の針部に魚が掛かりやすい。
【００１１】
また、前記保持部材は、弾性を有する線材で形成され、前記フックアイに掛ける掛け部と、前記アイ部を保持する前記バネ部と、前記ボディに止める止め部と、を有していてもよい。このように構成すれば、保持部材をボディに着脱可能とすることができる。保持部材は、傷んだ場合には交換できる。
【００１２】
また、前記ボディは、前記フック保持部の位置に前記アイ部の上部を収容する凹状部を有し、前記保持部材は、前記アイ部を保持した状態で該アイ部の上部が前記凹状部に収容される位置に配置されていてもよい。このように構成すれば、フックのアイ部を保持部材で保持した状態で、アイ部の上部がボディの収容部に収容される。よって、フックをボディに近接した位置で保持することができる。
【００１３】
また、前記フック保持部は、前記針部が後方に傾く状態で前記アイ部を保持した状態と、前記針部が前方に傾く状態で前記アイ部を保持した状態と、で前記アイ部を係止する係止部をさらに有していてもよい。このように構成すれば、係止部によるアイ部の係止状態によって、フックの針部が後向きの状態と前向きの状態とに切り替えることができる。
【発明の効果】
【００１４】
本発明によれば、フックの姿勢を制限してキャスティング時及びリトリーブ時における絡みつきなどを防止することが可能となる。また、フックのアイ部を保持することで魚が食いついたときに針部に掛かりよくすることが可能となる。
【図面の簡単な説明】
【００１５】
【図１】図１は、本発明の一実施形態に係るルアーを示す側面図である。
【図２】図２は、図１に示すルアーの中央縦断面図である。
【図３】図３は、図１に示すルアーの底面図である。
【図４】図４は、図３に示す保持部材の斜視図である。
【図５】図５は、図３に示すフック保持部によるフックの保持状態を示す拡大断面図である。
【図６】図６は、図３に示すフック保持部とは異なる例のフック保持部によるフックの保持状態を示す拡大断面図である。
【図７】図７は、図１に示すルアーのキャスティング時における状態を示す斜視図である。
【図８】図８は、図１に示すルアーのリトリーブ時における状態を示す斜視図である。
【発明を実施するための形態】
【００１６】
以下、本発明の実施形態を図面に基づいて説明する。以下の実施形態では、前後方向に延在する縦長形状の小魚を模したルアー１を例に説明する。また、以下の実施形態では、第一ボディ１０と第二ボディ２０とを備えたルアー１を例に説明する。なお、ルアー１は１つのボディで構成されたものでもよい。ルアーは、他の形式でもよい。この明細書及び特許請求の範囲の書類中における前後方向は、頭部方向を前方、尾びれ方向を後方とする。ルアー１の前後方向は、縦方向ともいう。また、前後方向と直交する横方向を左右方向とする。
【００１７】
（ルアーの構成）
図１〜図３に基づいて、一実施形態に係るルアー１を説明する。この実施形態のルアー１は、下方に位置する第一ボディ１０と、上方に配置される第二ボディ２０とを備えている。第一ボディ１０は、ルアー下部を摸した形態となっている。第二ボディ２０は、ルアー上部を摸した形態となっている。ルアー１は、第一ボディ１０の上部に第二ボディ２０が配置されることで、魚の形状を模したルアー全体の形態となる。
【００１８】
第一ボディ１０は、前端部にはラインアイ１１が設けられている。第一ボディ１０の下部には、前部フックアイ１２と後部フックアイ１３とが設けられている。前部フックアイ１２には、前部フック１５が取り付けられている。この実施形態の前部フック１５は、アイ部１５ａから延びる軸部１５ｂと、軸部１５ｂの先に設けられた３本の針部１５ｃを有している。前部フック１５は、アイ部１５ａに取り付けられたリング材たるスプリットリング１４で前部フックアイ１２に取り付けられている。後部フックアイ１３には、後部フック１６が取り付けられている。この実施形態の後部フック１６は、アイ部１６ａから延びる軸部１６ｂと、軸部１６ｂの先に設けられた３本の針部１６ｃを有している。後部フック１６は、アイ部１６ａに取り付けられたリング材たるスプリットリング１４で後部フックアイ１３に取り付けられている。前部フック１５と後部フック１６は、前後で異なるフックを用いてもよい。第一ボディ１０の前部には、上向きに突出する第一ボディアイ１７が設けられている。
【００１９】
第二ボディ２０は、縦長形状の後端部に尾部２２が備えられている。第二ボディ２０は、ポリ塩化ビニルなどで一体成形することができる。第二ボディ２０の前端部には、前方に突出する第二ボディアイ２１が設けられている。第二ボディアイ２１は、第一ボディ１０の第一ボディアイ１７に連結されている。第二ボディ２０の尾部２２は、第一ボディ１０の後部フック１６よりも後方に突出している。尾部２２は、第二ボディ２０の上部から上向きに傾斜する水受け面２３を有している。水受け面２３は、例えば、魚の尾を模した形状にできる。この実施形態では、第一ボディ１０が硬質材料で形成され、第二ボディ２０が軟質材料で形成されている。例えば、第一ボディ１０は、金属材料、硬質樹脂材料などで形成できる。例えば、第二ボディ２０は、ゴム材料、軟質樹脂材料などで形成できる。なお、第一ボディ１０及び第二ボディ２０の材質は限定されない。
【００２０】
そして、上記第一ボディ１０の下部には、前部フックアイ１２から後方に所定距離離れた位置に、フック保持部５０が設けられている。フック保持部５０には、第一ボディ１０の下部の前部フックアイ１２から所定距離後方の部分から凹状部１８が設けられている。凹状部１８は、スプリットリング１４に取り付けられた前部フック１５のアイ部１５ａが最も後方に位置する部分から後方に延在している。凹状部１８は、前部フック１５のアイ部１５ａの上部が収容される深さで前後方向に延在している。凹状部１８は、第一ボディ１０の左右方向中央部分に設けられている。凹状部１８は、前部が深く、第一ボディ１０の前後方向中央部付近で下面と一致する深さに形成されている。第一ボディ１０の前後方向中央部には、係止穴１９が設けられている。係止穴１９は、第一ボディ１０を上下方向に貫通するように設けられている。係止穴１９は、下部の前壁に、後方へ突出する凸部１９ａが形成されている。フック保持部５０には、保持部材５１が設けられている。
【００２１】
図４に示すように、この実施形態の保持部材５１は、線材で形成されている。保持部材５１は、前部フック１５のアイ部１５ａを左右方向から保持するバネ部５３を有している。以下、図示する保持部材５１の左方向を前部、右方向を後部として説明する。保持部材５１は、前部フックアイ１２に掛ける掛け部５２と、アイ部１５ａを保持するバネ部５３と、第一ボディ１０に止める止め部５４と、を有している。この保持部材５１は、弾性を有する線材を折り曲げたものとなっている。保持部材５１は、バネ鋼などの線材を用いることができる。掛け部５２は、線材の中央部分をリング状に折り曲げて形成されている。保持部材５１は、掛け部５２の後端から後方へ所定幅で平行に延びている。上記バネ部５３は、掛け部５２から後方に延びる部分を左右から中央部に向けて折り曲げて形成されている。この実施形態のバネ部５３は、折り曲げた部分が中央部で接している。バネ部５３は、広がる方向に変化可能となっている。広がったバネ部５３は、弾性で元に戻る。バネ部５３は、接した状態の他、僅かに離れた近接状態でもよい。上記止め部５４は、バネ部５３から後方に延びる部分を第一ボディ１０の係止穴１９に挿入するように折り曲げて形成されている。止め部５４は、係止穴１９の下部に形成された凸部１９ａに掛かるように鋭角に折り曲げて形成されている。
【００２２】
図２及び図３に示すように、上記保持部材５１は、一方の止め部５４から前部フックアイ１２に挿入し、掛け部５２を前部フックアイ１２に掛ける。そして、後端の止め部５４を第一ボディ１０の係止穴１９に掛ける。保持部材５１は、これで第一ボディ１０に取り付けることができる。保持部材５１は、第一ボディ１０に取り付けられた状態では、止め部５４のバネ力によって掛け部５２が前部フックアイ１２の後端に位置した状態となる。保持部材５１は、逆の手順で取り外すことができる。保持部材５１は、取り外して交換することができる。
【００２３】
（保持部材によるフックの保持状態）
図５に基づいて、保持部材５１による前部フック１５の保持状態について説明する。保持部材５１のバネ部５３は、左右から中央部に向けて折り曲げた部分が接した状態となっている。一方、スプリットリング１４で前部フックアイ１２に取り付けられた前部フック１５のアイ部１５ａは、中空部分が左右方向に開口した状態となっている。
【００２４】
前部フック１５は、アイ部１５ａの中空部分が左右方向に開口した状態でバネ部５３押し込まれる。これにより、バネ部５３は弾性変形によって広がる。バネ部５３は、アイ部１５ａの開口部分が押し込まれた後、弾性によって接する方向に戻る。アイ部１５ａは、バネ部５３が戻ることで、バネ部５３に挟まれた状態となる。バネ部５３は、線材を折り曲げて形成されているため、アイ部１５ａの開口部分の前後位置で接している。アイ部１５ａは、バネ部５３によって左右方向から保持された状態となる。このように、アイ部１５ａを保持部材５１のバネ部５３に下方から押し込むことで、アイ部１５ａの開口部分をバネ部５３で保持することができる。これにより、アイ部１５ａは、スプリットリング１４によって第一ボディ１０の前部フックアイ１２に取り付けられた状態で、スプリットリング１４の上部が保持部材５１のバネ部５３によって保持された状態となる。
【００２５】
前部フック１５は、保持部材５１でアイ部１５ａが保持された状態で、アイ部１５ａの上部が凹状部１８に収容された状態となる。このため、前部フック１５は、凹状部１８に前部が収容されたアイ部１５ａから斜め後方に傾いた状態で保持される。この状態の前部フック１５は、保持部材５１によって左右方向（ロール方向）の動きが制限される。
【００２６】
一方、バネ部５３に押し込まれたアイ部１５ａは、バネ部５３がアイ部１５ａの前後位置で接した状態の保持である。このため、アイ部１５ａは、バネ部５３で保持された状態で、前後方向には所定範囲で揺動可能となっている。
【００２７】
このフック保持部５０を備えたルアー１によれば、保持部材５１によって前部フック１５のアイ部１５ａが保持される。よって、前部フック１５は、左右方向の動きが制限されて、第一ボディ１０などに絡みつくことが防止される。また、前部フック１５は、アイ部１５ａが保持された状態であるが、針部１５ｃは下方に傾いた状態であるため、魚が食いついたときの掛かりがよい。
【００２８】
（異なる例のフック保持部によるフックの保持状態）
図６に基づいて、上記図５とは異なる例のフック保持部６０について説明する。この例は、前部フック１５を、斜め後向きと斜め前向きとに切り替えて保持できる例である。なお、上記図５に示すフック保持部５０と同一の構成には同一符号を付し、その説明は省略する。
【００２９】
図６に示すフック保持部６０には、第一ボディ１０の下部に設けられた凹状部１８の内部に、下方に突出する係止部６１が設けられている。係止部６１を設ける位置は、凹状部１８の底部、側部などに設けることができる。前部フック１５のアイ部１５ａは、保持部材５１のバネ部５３で保持することで上部が凹状部１８の内部に収容される。凹状部１８に収容されるアイ部１５ａは、側面視で中空部分を有するリング状となっている。アイ部１５ａは、針部１５ｃが後方に傾く状態で保持部材５１に押し込まれると、上部が係止部６１に当接する。これにより、アイ部１５ａは、針部１５ｃが後方に傾いた状態が保たれる。一方、二点鎖線で示すように、アイ部１５ａは、針部１５ｃが前方に傾く状態で保持部材５１に押し込まれると、上部が係止部６１に当接する。これにより、アイ部１５ａは、針部１５ｃが前方に傾いた状態が保たれる。この実施形態のフック保持部６０によれば、前部フック１５は、アイ部１５ａを保持部材５１に押し込む角度によって、針部１５ｃが傾く方向を前後に切り替えることができる。
【００３０】
このフック保持部６０を備えたルアー２によれば、前部フック１５の針部１５ｃを斜め後方に向けて保持部材５１で保持した状態と、針部１５ｃを斜め前方に向けて保持部材５１で保持した状態とに切り替えることができる。
【００３１】
前部フック１５の針部１５ｃを斜め前方に向けて保持することで、針先を後ろ向きにできる。このようにすれば、前部フック１５が根掛かりしにくくなる。また、針部１５ｃの先端が痛みにくくなる。前部フック１５の針部１５ｃを斜め後方に向けて保持すれば、上記図５と同様に、前部フック１５は、左右方向の動きが制限されて、第一ボディ１０などに絡みつくことが防止される。また、前部フック１５は、アイ部１５ａが保持された状態であるが、針部１５ｃは下方に傾いた状態であるため、魚が食いついたときの掛かりがよい。
【００３２】
（ルアーのキャスティング時及びリトリーブ時における状態）
図７及び図８に基づいて、図５に示すルアー１のキャスティング時における状態と、ルアー１のリトリーブ時における状態を説明する。図７に示すように、ルアー１は、保持部材５１（図５）によって前部フック１５のアイ部１５ａが保持された状態でキャスティングされる。ルアー１は、前部フック１５が第一ボディ１０の下部に保持部材５１で保持された状態で飛行する。飛行時の前部フック１５は、左右方向にロールする動きが制限されるので、第一ボディ１０にまとわりつかない。また、ラインアイ１１に近い前部フック１５が保持部材５１で保持されているので、ライン３０に絡みつくことも抑制できる。
【００３３】
図８に示すように、ルアー１は、着水後のリトリーブ時には第一ボディ１０のラインアイ１１に接続されたライン３０で引かれる。ルアー１は、第一ボディ１０の第一ボディアイ１７に第二ボディ２０の第二ボディアイ２１が連結されている。よって、ルアー１は、水流Ｆによって第二ボディ２０が第一ボディ１０の上部に配置されて一体的に泳動する。
【００３４】
ルアー１は、リトリーブ時においても、第一ボディ１０の下部に取り付けられた前部フック１５が保持部材５１（図５）に保持された状態が保たれる。よって、前部フック１５が左右方向にロールする動きが制限される。これにより、前部フック１５は水流Ｆを受けても第一ボディ１０にまとわりつかない。また、前部フック１５がライン３０に絡むこともなく、ルアー１の安定したリトリーブができる。
【００３５】
また、前部フック１５は、アイ部１５ａが保持部材５１に保持された状態でも梁部１５ｃが下方に傾いた状態である。また、前部フック１５は、前後方向に所定範囲で揺動可能となっている。よって、ルアー１に食いついた魚に針部１５ｃが刺さりやすい。魚が食いついて前部フック１５に大きな力が作用すると、アイ部１５ａが保持部材５１のバネ部５３から外れる。保持部材５１から外れた前部フック１５は、スプリットリング１４で前部フックアイ１２に取り付けられた状態となる。よって、魚に刺さった前部フック１５は、魚に刺さった状態を保つことができる。
【００３６】
（その他の変形例）
ルアー１は、第一ボディ１０と第二ボディ２０とが一体となったものでもよい。例えば、バイブレーションなどのルアーでもよい。ルアー１の形式は、上記した実施形態に限定されるものではない。
【００３７】
また、前部フック１５は、上記した実施形態に限定されるものではない。３本フックの場合、アイ部１５ａを保持部材５１で保持することで、根掛かりなどが生じる機会を適切に減らすことができる。前部フック１５として、２本フック、アシストフックなどを用いても、保持部材５１でアイ部１５ａを保持して動作を制限して、フックがロールすることを抑えることができる。よって、ボディへのまとわりつきや、ライン３０の絡みつきを防止できる。
【００３８】
さらに、本発明は、要旨を損なわない範囲での種々の構成を変更することは可能であり、本発明は上記した実施形態に限定されるものではない。
【符号の説明】
【００３９】
１  ルアー
２  ルアー
１０  第一ボディ
１２  前部フックアイ
１３  後部フックアイ
１４  スプリットリング
１５  前部フック
１５ａ  アイ部
１５ｂ  軸部
１５ｃ  針部
１６  後部フック
１８  凹状部
１９  係止穴
１９ａ  凸部
２０  第二ボディ
３０  ライン
５０  フック保持部
５１  保持部材
５２  掛け部
５３  バネ部
５４  止め部
６０  フック保持部
６１  係止部
【図１】
2019103430.tif 000003
【図２】
2019103430.tif 000004
【図３】
2019103430.tif 000005
【図４】
2019103430.tif 000006
【図５】
2019103430.tif 000007
【図６】
2019103430.tif 000008
【図７】
2019103430.tif 000009
【図８】
2019103430.tif 000010